【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
レーザ照射により情報記録が行われる記録層としての複数のレイヤを有し、該複数のレイヤに連続記録領域としてのトラックを形成してトラック内にデータ記録がおこなわれる記録媒体に対し、
レーザ光入射面側からみて最も手前のレイヤに対し、ＵＤＦ準拠のデータ構造において固定配置する管理情報を記録する固定管理情報トラックを設定するトラック設定処理と、  上記固定管理情報トラックを設定直後に連続記録完了状態とするクローズトラック処理と、
クローズされた上記固定管理情報トラックに対して管理情報の書込要求を行うことで、該書込要求にかかる管理情報が、交替処理により他のトラックに記録されるようにする書込要求処理と、
を行う制御部を備えた記録管理装置。
【請求項２】
上記制御部は、トラックが設定されていない記録媒体に対して、最初に上記トラック設定処理を行う際に、レーザ光入射面側からみて最も奥のレイヤに対し、管理情報を記録目的とする管理情報トラックと、ユーザデータを記録目的とするユーザデータトラックと、上記管理情報のミラーデータを記録目的とするミラートラックとが、少なくとも設定され、かつ、上記固定管理情報トラックが、レーザ光入射面側からみて最も手前のレイヤに設定されるようにすることで、
上記固定管理情報トラックへの上記書込要求にかかる管理情報は、上記交替処理により最も奥のレイヤに設定されたトラックに書き込まれるようにする請求項１に記載の記録管理装置。
【請求項３】
上記制御部は、上記トラック設定処理において、最も奥のレイヤの上記ミラートラックと、最も手前のレイヤの上記固定管理情報トラックとが、レイヤ積層方向に重なる配置状態に、各トラックを設定し、
上記固定管理情報トラックへの上記書込要求にかかる管理情報は、交替先としてレイヤ積層方向に重なるトラックを優先する上記交替処理により、最も奥のレイヤに設定された上記ミラートラックに書き込まれるようにする請求項２に記載の記録管理装置。
【請求項４】
上記制御部は、記録動作の進行に応じて、レーザ光入射面側からみて順次手前側のレイヤに対し、管理情報を記録目的とする管理情報トラックと、ユーザデータを記録目的とするユーザデータトラックと、上記管理情報のミラーデータを記録目的とするミラートラックとを、それぞれ１つ奥のレイヤの管理情報トラック、ユーザデータトラック、ミラートラックとレイヤ積層方向に重なる配置状態に、各トラックを設定するトラック設定処理を行うことで、
クローズされた上記固定管理情報トラックに対して管理情報の書込要求を行う場合に、該書込要求にかかる管理情報が、交替先としてレイヤ積層方向に重なるトラックを優先する交替処理により、いずれかのレイヤのミラートラックに書き込まれるようにする請求項３に記載の記録管理装置。
【請求項５】
上記固定管理情報トラックは、ＵＤＦにおけるＡＶＤＰを記録するトラックである請求項１乃至請求項４のいずれかに記載の記録管理装置。
【請求項６】
レーザ照射により情報記録が行われる記録層としての複数のレイヤを有し、該複数のレイヤに連続記録領域としてのトラックを形成してトラック内にデータ記録がおこなわれる記録媒体に対し、
レーザ光入射面側からみて最も手前のレイヤに対し、ＵＤＦ準拠のデータ構造において固定配置する管理情報を記録する固定管理情報トラックを設定するトラック設定処理と、
上記固定管理情報トラックを設定直後に連続記録完了状態とするクローズトラック処理と、
クローズされた上記固定管理情報トラックに対して管理情報の書込要求を行うことで、該書込要求にかかる管理情報が、交替処理により他のトラックに記録されるようにする書込要求処理と、
を行う記録管理方法。
【請求項７】
レーザ照射により情報記録が行われる記録層としての複数のレイヤを有し、該複数のレイヤに連続記録領域としてのトラックを形成してトラック内にデータ記録がおこなわれる記録媒体に対する処理として、
レーザ光入射面側からみて最も手前のレイヤに対し、ＵＤＦ準拠のデータ構造において固定配置する管理情報を記録する固定管理情報トラックを設定するトラック設定処理と、
上記固定管理情報トラックを設定直後に連続記録完了状態とするクローズトラック処理と、
クローズされた上記固定管理情報トラックに対して管理情報の書込要求を行うことで、該書込要求にかかる管理情報が、交替処理により他のトラックに記録されるようにする書込要求処理と、
を演算処理装置に実行させるプログラム。
【手続補正２】
【補正対象書類名】明細書
【補正対象項目名】００６９
【補正方法】変更
【補正の内容】
【００６９】
フォーカスサーボ信号ＦＳ-svは、２軸ドライバ４１に供給される。２軸ドライバ４１は、フォーカスサーボ信号ＦＳ-svに基づくフォーカスドライブ信号ＦＤ-svを生成し、該フォーカスドライブ信号ＦＤ-svに基づき２軸アクチュエータ２１のフォーカスコイルを駆動する。
これにより、基準面用レーザ光についてのフォーカスサーボ制御、即ち基準面用レーザ光を基準面Ｒｅｆに合焦させるフォーカスサーボ制御が実現される。
【手続補正３】
【補正対象書類名】明細書
【補正対象項目名】００８６
【補正方法】変更
【補正の内容】
【００８６】
１層ディスクの場合は、物理的な記録領域としてレイヤＬ０のみであるため、必然的に図７Ｂのように、各トラックＴＫはレイヤＬ０に形成されることになる。
ここで図８に比較例としての多層ディスクの例を示す。
図８Ａの論理レイアウトは、図７Ａと同様となる。
図８Ｂに６層ディスクの場合の物理的な配置例を示している。レイヤＬ０〜Ｌ５の領域を用いて、図８Ａの論理レイアウトのトラック記録を実現している。レイヤＬ０〜Ｌ５を１つの物理的記録空間とし、トラックＴＫ＃１〜ＴＫ＃５を設定する。
この例では、トラックＴＫ＃１、ＴＫ＃２はレイヤＬ０内で設定され、トラックＴＫ＃３はレイヤＬ０〜Ｌ５の範囲にわたって設定される。そしてトラックＴＫ＃４，ＴＫ＃５はレイヤＬ５の後端領域に設定される。トラックＴＫ＃５が上述の「固定管理情報トラック」に相当する。
つまりこの図８の例は、多層ディスクにおいて、１層ディスクに対応したファイルシステムを、そのまま各記録層全体に拡張して適用しただけのものとなる。
【手続補正４】
【補正対象書類名】明細書
【補正対象項目名】０１０７
【補正方法】変更
【補正の内容】
【０１０７】
そのうえで、ＡＶＤＰ等は、レイヤＬ０のトラックＴＫ＃３に記録される。これは、最初に記録に使用するレイヤＬ０を用いるという意味で動作パフォーマンスを良好とする。例えばトラックＴＫ＃２へのユーザデータ記録等に応じてＡＶＤＰ等の管理情報の更新が必要になる場合、トラックＴＫ＃１、及びトラックＴＫ＃４の交替先のトラックＴＫ＃３へ、管理情報の書込が行われるため、光ピックアップＯＰによるアクセスは同一レイヤ内となり、動作効率が向上する。
また記録が進行しても、トラックＴＫ＃３，ＴＫ＃６のように、固定管理情報トラックのＡＶＤＰ等の更新記録は、実際には同一レイヤ又は隣のレイヤに行うこととなる機会が多くなる。これにより多層記録媒体１に対する全体としての記録動作効率が向上する。
【手続補正５】
【補正対象書類名】明細書
【補正対象項目名】０１１４
【補正方法】変更
【補正の内容】
【０１１４】
図１４はフォーマットコマンドの際のドライブ制御部１０１の処理を示している。
フォーマットリクエストがあるとドライブ制御部１０１はステップＦ１０１で、多層記録媒体１のディスクパラメータを取得し、ステップＦ１０２でブランクディスクであるか否かを確認する。
ブランクディスクでなければ、ステップＦ１０２からＦ１０３に進み、現在装填されている多層記録媒体１は、フォーマットできない光ディスクであるとして、フォーマット処理を終える。
【手続補正６】
【補正対象書類名】図面
【補正対象項目名】図２１
【補正方法】変更
【補正の内容】
【図２１】
2014006943.tif 000001